(57)【要約】【課題】  自重によりドアレール面に回動して接触し、常時一定の接触圧力を保つことにより、位置調整を必要とせず、ドアレールの清掃・給油効果を長期間維持させることができるエレベータのドアレール清掃・給油装置を得る。【解決手段】  ドアレール３をドア開閉時に自動的に清掃・給油するものにおいて、ローラー２がドアレール３を転動することにより開閉されるドアを吊るドアハンガー１と、このドアハンガーの端部に固定され、ドアレール上を清掃・給油するドアレール清掃・給油器４とを備え、ドアレール清掃・給油器は、油を染み込ませたフェルト体５と、このフェルト体を取り付けた取付腕７とがドアハンガー１に対し回転自在になるように取り付け、かつ自重によりフェルト体が常時ドアレール面に回動するように構成され、フェルト体がドアレール上に接触して一定の接触圧力を保つ。【選択図】    図１
2005126188.tif 000002
【特許請求の範囲】
【請求項１】
ドアレールをドア開閉時に自動的に清掃・給油するエレベータのドアレール清掃・給油装置において、  
ローラーがドアレールを転動することにより開閉されるドアを吊るドアハンガーと、
このドアハンガーの端部に固定され、ドアレール上を清掃・給油するドアレール清掃・給油器とを備え、
前記ドアレール清掃・給油器は、油を染み込ませたフェルト体と、このフェルト体を取り付けた取付腕とがドアハンガーに対し回転自在になるように取り付け、かつ自重によりフェルト体が常時ドアレール面に回動するように構成され、フェルト体がドアレール上に接触して一定の接触圧力を保つようにしたことを特徴とするエレベータのドアレール清掃・給油装置。
【請求項２】
フェルト体を取付腕に対して、回転自在に固定したことを特徴とする請求項１記載のエレベータのドアレール清掃・給油装置。
【請求項３】
フェルト体を取付腕に対して、フェルト体が回転しないように固定したことを特徴とする請求項１記載のエレベータのドアレール清掃・給油装置。
【請求項４】
一端にフェルト体を取り付け、他端をドアハンガーに回転自在に取り付けた取付腕の形状をＺ字状にしたことを特徴とする請求項１〜請求項３のいずれかに記載のエレベータのドアレール清掃・給油装置。
【発明の詳細な説明】
【技術分野】
【０００１】
この発明はエレベータのドアレールをドア開閉時に自動的に清掃・給油するエレベータのドアレール清掃・給油装置に関するものである。
【背景技術】
【０００２】
従来のエレベータのドアレール清掃・給油装置は、例えば図４〜図６に示すように構成されている。図４、図５において、エレベータのドアは、ドアを吊るドアハンガー１１に取り付けられたローラー１２がドアレール１３の上面を転動することにより開閉される。ドアレール清掃・給油器１４は、ドアハンガー１１の端部側面に固定されている。図６はドアレール清掃・給油器１４の構成図であり、油を染み込ませた固定式のフェルト体１５がＺ字状の固定腕１７の一端に固定され、この固定腕１７の他端がドアハンガー９の端部側面に固定されている。  
このように構成されたエレベータのドアレール清掃・給油装置は、ドアハンガー１１とともにドアレール１３上をドアレール清掃・給油器１４が移動し、固定式のフェルト体１５がドアレール１３に接触することにより自動的に清掃・給油を行っている。
また、他の従来技術としては、ドアハンガーに係合される係合体の押圧部の先端部に軸受を中心に回転自在にフェルトローラーを取り付けたもの（例えば、特許文献１参照）、ドアレール上を摺動する摺動部材を摺動部材取付金具の保持部に保持させたもの（例えば、特許文献２参照）、清掃・給油用のフィルタを取付腕に取り付け、この取付腕と一体の板バネによりフィルタを下方向へ常時圧力を与えるものがある（例えば、非特許文献１参照）。
【０００３】
【特許文献１】特開平７−２５２０６６号公報
【特許文献２】特開平１０−３２４４８４号公報
【非特許文献１】発明協会公開技報公技番号２０００−７５６２号
【発明の開示】
【発明が解決しようとする課題】
【０００４】
従来のエレベータのドアレール清掃・給油装置では、長期間の使用を重ねるにつれて、固定式のフェルト体１５とドアレール１３の間の摩擦により、フェルト体１５が摩耗し接触が悪くなり、接触面の接触圧力を保つために、フェルト体の取り付け位置調整が必要であった。また、接触面が常に一定であるため、長期間の使用には耐えられず、使用を重ねるとフェルト体の取り替えが必要であった。
また、特許文献１記載のものは、係合体に押圧部を屈曲形成する必要があり、この押圧部の押し付け圧力にバラツキが生じていた。また、特許文献２記載のものは、摺動部材が摺動部材取付金具の保持部に単に保持されているだけである。さらに、非特許文献１記載のものは、板バネによりフィルタを下方向へ常時圧力を与えているが、板バネの押圧ストローク以上にフィルタが摩耗した場合は、フィルタを交換する必要があった。
【０００５】
この発明は、上述のような課題を解決するためになされたもので、第１の目的は、エレベータのドアレール清掃・給油器を、従来の固定式から回動式に変更し、この回動式のフェルト体の自重によりドアレール面に回動して接触し、常時一定の接触圧力を保つことにより、位置調整を必要とせず、ドアレールの清掃・給油効果を長期間維持させることができるエレベータのドアレール清掃・給油装置を提供するものである。
【課題を解決するための手段】
【０００６】
この発明に係るエレベータのドアレール清掃・給油装置は、ドアレールをドア開閉時に自動的に清掃・給油するものにおいて、ローラーがドアレールを転動することにより開閉されるドアを吊るドアハンガーと、このドアハンガーの端部に固定され、ドアレール上を清掃・給油するドアレール清掃・給油器とを備え、ドアレール清掃・給油器は、油を染み込ませたフェルト体と、このフェルト体を取り付けた取付腕とがドアハンガーに対し回転自在になるように取り付け、かつ自重によりフェルト体が常時ドアレール面に回動するように構成され、フェルト体がドアレール上に接触して一定の接触圧力を保つようにしたものである。
【発明の効果】
【０００７】
この発明は、ドアハンガーの端部に固定され、ドアレール上を清掃・給油するドアレール清掃・給油器を、油を染み込ませたフェルト体と、このフェルト体を取り付けた取付腕とがドアハンガーに対し回転自在になるように取り付け、かつ自重によりフェルト体が常時ドアレール面に回動するように構成し、フェルト体がドアレール上に接触して一定の接触圧力を保つようにしたので、ドアの開閉とともに、フェルト体がドアレールに自重で接触するため、位置調整を必要とせず、常に一定の圧力で接触することができる。また、フェルト体を回転させながら接触するように構成すれば、ドアレールとの接触面が一定にならないため、フェルト体の寿命を長くすることができる。
【発明を実施するための最良の形態】
【０００８】
実施の形態１．
図１はこの発明の実施の形態１におけるエレベータのドアレール清掃・給油装置の構成を示す側面図、図２は同じく平面図、図３はこの発明の実施の形態１におけるドアレール清掃・給油器の斜視図である。
【０００９】
図１、図２において、エレベータのドアは、ドアを吊るドアハンガー１に取り付けられたローラー２がドアレール３の上面を転動することにより開閉される。ドアレール清掃・給油器４は、ドアハンガー１の端部側面に固定されている。図３はドアレール清掃・給油器４の構成図であり、油を染み込ませた自重により回動するフェルト体５が取付軸６により、Ｚ字状の取付腕７の一端に回転自在に固定されている。この取付腕７の他端は取付軸８により、取付板９に対し回転自在に取り付けられている。この取付板９はドアハンガー９の端部側面に固定されている。  
このように構成されたエレベータのドアレール清掃・給油装置は、ドアレール清掃・給油器４のフェルト体５と取付腕７が、その自重により取付軸８を支点として、常時ドアレール１１面に回動する。そして、フェルト体５がドアレール１１上に接触し、常時自重による一定の接触圧力を保つことができるので、フェルト体５が摩耗しても位置調整を必要とせず、ドアレールの清掃・給油効果を長期間維持させることができる。また、ドアハンガー１とともにドアレール３上を油を染み込ませたフェルト体５が回転しながら接触することにより、自動的に清掃・給油が行われる。
【００１０】
実施の形態２.
上記実施の形態１では、フェルト体５を取付軸６により、Ｚ字状の取付腕７の一端に回転自在に固定した場合について説明したが、この実施の形態２は、フェルト体５を取付軸６に対して、フェルト体５が回転しないように固定したものである。
このように構成されたエレベータのドアレール清掃・給油装置においても、ドアレール清掃・給油器４のフェルト体５と取付腕７が、その自重により取付軸８を支点として、常時ドアレール１１面に回動する。そして、フェルト体５がドアレール１１上に接触し、常時自重による一定の接触圧力を保つことができるので、フェルト体５が摩耗しても位置調整を必要とせず、ドアレールの清掃・給油効果を長期間維持させることができる。また、ドアハンガー１とともにドアレール３上を油を染み込ませたフェルト体５が摺動することにより、自動的に清掃・給油が行われる。  
【図面の簡単な説明】
【００１１】
【図１】この発明の実施の形態１におけるエレベータのドアレール清掃・給油装置の構成を示す側面図である。
【図２】この発明の実施の形態１におけるエレベータのドアレール清掃・給油装置の構成を示す平面図である。
【図３】この発明の実施の形態１におけるドアレール清掃・給油器の斜視図である。
【図４】従来のエレベータのドアレール清掃・給油装置の構成を示す側面図である。
【図５】従来のエレベータのドアレール清掃・給油装置の構成を示す平面図である。
【図６】従来のドアレール清掃・給油器の斜視図である。
【符号の説明】
【００１２】
１  ドアハンガー
２  ローラー
３  ドアレール
４  ドアレール清掃・給油器
５  フェルト体
６  取付軸
７  取付腕
８  取付軸  
９  取付板  
【図１】
2005126188.tif 000003
【図２】
2005126188.tif 000004
【図３】
2005126188.tif 000005
【図４】
2005126188.tif 000006
【図５】
2005126188.tif 000007
【図６】
2005126188.tif 000008